(57)【要約】【課題】画面に表示する画像の画質を向上する表示システムの制御方法を提供する。【解決手段】表示システムの制御方法では、第１端末１０−１、第２端末１０−２、及び、画面３０に画像３１を表示する表示装置２０を備える表示システムの制御方法であって、第１端末１０−１から、第１画像を表す第１伝送データを表示装置２０に送信し、第２端末１０−２から、第２画像を表す第２伝送データを表示装置２０に送信し、表示装置２０は、第１伝送データに基づいて第１画像を画面３０に表示し、且つ第２伝送データに基づいて第２画像を画面に表示しない場合において、第１伝送データが第２伝送データより大きな通信量を有するように、第１端末及び第２端末の少なくとも何れかを制御する。【選択図】図１
2020134850.tif 000002
【特許請求の範囲】
【請求項１】
第１端末、第２端末、及び、画面に画像を表示する表示装置を備える表示システムの制御方法であって、
前記第１端末から、第１画像を表す第１伝送データを前記表示装置に送信し、
前記第２端末から、第２画像を表す第２伝送データを前記表示装置に送信し、
前記表示装置は、前記第１伝送データに基づいて前記第１画像を前記画面に表示し、且つ前記第２伝送データに基づいて前記第２画像を前記画面に表示しない場合において、前記第１伝送データが前記第２伝送データより大きな通信量を有するように、前記第１端末及び前記第２端末の少なくとも何れかを制御することを特徴とする表示システムの制御方法。
【請求項２】
前記表示装置は、前記第１画像の画質を定義する第１情報を前記第１端末に送信し、前記第２画像の画質を定義する第２情報を前記第２端末に送信することにより、前記第１端末及び前記第２端末を制御する請求項１に記載の表示システムの制御方法。
【請求項３】
前記第１情報及び前記第２情報のそれぞれは、フレームレート、解像度及び圧縮率の３種類のパラメーターのうち少なくとも何れか１種類のパラメーターを含むことを特徴とする請求項２に記載の表示システムの制御方法。
【請求項４】
前記表示装置は、前記画面に対応して表示される表示領域を一部に定義され、互いにずれた位置にマッピングされた前記第１画像及び前記第２画像を表す統合画像データを、前記第１伝送データ及び前記第２伝送データに基づいて生成し、前記統合画像データに基づいて、前記第１画像を前記画面に表示することを特徴とする請求項１乃至３の何れか１項に記載の表示システムの制御方法。
【請求項５】
前記表示装置は、ユーザーの操作に応じて前記表示領域と相対的に前記第１画像及び前記第２画像を移動させることを特徴とする請求項４に記載の表示システムの制御方法。
【請求項６】
第１端末、第２端末、及び、画面に画像を表示する表示装置を備える表示システムであって、
前記第１端末は、第１画像を表す第１伝送データを前記表示装置に送信し、
前記第２端末は、第２画像を表す第２伝送データを前記表示装置に送信し、
前記表示装置は、前記第１伝送データに基づいて前記第１画像を前記画面に表示し、且つ前記第２伝送データに基づいて前記第２画像を前記画面に表示しない場合において、前記第１伝送データが前記第２伝送データより大きな通信量を有するように、前記第１端末及び前記第２端末の少なくとも何れかを制御することを特徴とする表示システム。
【請求項７】
前記表示装置は、前記第１画像の画質を定義する第１情報を前記第１端末に送信し、前記第２画像の画質を定義する第２情報を前記第２端末に送信することにより、前記第１端末及び前記第２端末を制御することを特徴とする請求項６に記載の表示システム。
【請求項８】
前記第１情報及び前記第２情報のそれぞれは、フレームレート、解像度及び圧縮率の３種類のパラメーターのうち少なくとも何れか１種類のパラメーターを含むことを特徴とする請求項７に記載の表示システム。
【請求項９】
前記表示装置は、前記画面に対応して表示される表示領域を一部に定義され、互いにずれた位置にマッピングされた前記第１画像及び前記第２画像を表す統合画像データを、前記第１伝送データ及び前記第２伝送データに基づいて生成し、前記統合画像データに基づいて、前記第１画像を前記画面に表示することを特徴とする請求項６乃至８の何れか１項に記載の表示システム。
【請求項１０】
前記表示装置は、ユーザーの操作に応じて前記表示領域と相対的に前記第１画像及び前記第２画像を移動させることを特徴とする請求項９に記載の表示システム。
【請求項１１】
画面に画像を表示する表示機器と、
第１端末から送信され、第１画像を表す第１伝送データと、第２端末から送信され、第２画像を表す第２伝送データとを受信する通信インターフェイスと、
前記第１伝送データに基づいて前記第１画像を前記画面に表示し、且つ前記第２伝送データに基づいて前記第２画像を前記画面に表示しない場合において、前記第１伝送データが前記第２伝送データより大きな通信量を有するように、前記第１端末及び前記第２端末の少なくとも何れかを制御する制御回路と、
を備えることを特徴とする表示装置。
【請求項１２】
前記制御回路は、前記第１画像の画質を定義する第１情報を前記通信インターフェイスを介して前記第１端末に送信し、前記第２画像の画質を定義する第２情報を前記通信インターフェイスを介して前記第２端末に送信することにより、前記第１端末及び前記第２端末を制御することを特徴とする請求項１１に記載の表示装置。
【請求項１３】
前記第１情報及び前記第２情報のそれぞれは、フレームレート、解像度及び圧縮率の３種類のパラメーターのうち少なくとも何れか１種類のパラメーターを含むことを特徴とする請求項１２に記載の表示装置。
【請求項１４】
前記画面に対応して表示される表示領域を一部に定義され、互いにずれた位置にマッピングされた前記第１画像及び前記第２画像を表す統合画像データを、前記第１伝送データ及び前記第２伝送データに基づいて生成する画像生成回路を更に備え、前記表示機器は、前記統合画像データに基づいて、前記第１画像を前記画面に表示することを特徴とする請求項１１乃至１３の何れか１項に記載の表示装置。
【請求項１５】
ユーザーによる操作を受け付ける入力機器を更に備え、
前記制御回路は、前記操作に応じて前記表示領域と相対的に前記第１画像及び第２画像を移動させることを特徴とする請求項１４に記載の表示装置。
【発明の詳細な説明】
【技術分野】
【０００１】
本発明は、表示システム、表示システムの制御方法及び表示装置に関する。
【背景技術】
【０００２】
特許文献１は、複数の端末から受信した複数の画像データをメモリーに書き込み、メモリーから読みだした画像を表示する多地点間通信装置において、受信能力を各端末に伝える技術を開示する。
【先行技術文献】
【特許文献】
【０００３】
【特許文献１】特開平９−１８８４６号公報
【発明の概要】
【発明が解決しようとする課題】
【０００４】
しかしながら、特許文献１に記載の技術において、端末の数が増加すると、通信トラフィックの増大によりネットワークの帯域が逼迫し、表示される画像の質が低下する可能性がある。
【課題を解決するための手段】
【０００５】
第１態様は、第１端末、第２端末、及び、画面に画像を表示する表示装置を備える表示システムの制御方法であって、前記第１端末から、第１画像を表す第１伝送データを前記表示装置に送信し、前記第２端末から、第２画像を表す第２伝送データを前記表示装置に送信し、前記表示装置は、前記第１伝送データに基づいて前記第１画像を前記画面に表示し、且つ前記第２伝送データに基づいて前記第２画像を前記画面に表示しない場合において、前記第１伝送データが前記第２伝送データより大きな通信量を有するように、前記第１端末及び前記第２端末の少なくとも何れかを制御する表示システムの制御方法である。
【０００６】
第２態様は、第１態様において、前記表示装置が、前記第１画像の画質を定義する第１情報を前記第１端末に送信し、前記第２画像の画質を定義する第２情報を前記第２端末に送信することにより、前記第１端末及び前記第２端末を制御することである。
【０００７】
第３態様は、第２態様において、前記第１情報及び前記第２情報のそれぞれが、フレームレート、解像度及び圧縮率の３種類のパラメーターのうち少なくとも何れか１種類のパラメーターを含むことである。
【０００８】
第４態様は、第１乃至第３態様の何れかにおいて、前記表示装置が、前記画面に対応して表示される表示領域を一部に定義され、互いにずれた位置にマッピングされた前記第１画像及び前記第２画像を表す統合画像データを、前記第１伝送データ及び前記第２伝送データに基づいて生成し、前記統合画像データに基づいて、前記第１画像を前記画面に表示することである。
【０００９】
第５態様は、第４態様において、前記表示装置が、ユーザーの操作に応じて前記表示領域と相対的に前記第１画像及び前記第２画像を移動させることである。
【００１０】
第６態様は、第１端末、第２端末、及び、画面に画像を表示する表示装置を備える表示システムであって、前記第１端末は、第１画像を表す第１伝送データを前記表示装置に送信し、前記第２端末は、第２画像を表す第２伝送データを前記表示装置に送信し、前記表示装置は、前記第１伝送データに基づいて前記第１画像を前記画面に表示し、且つ前記第２伝送データに基づいて前記第２画像を前記画面に表示しない場合において、前記第１伝送データが前記第２伝送データより大きな通信量を有するように、前記第１端末及び前記第２端末の少なくとも何れかを制御する表示システムである。
【００１１】
第７態様は、第６態様において、前記表示装置が、前記第１画像の画質を定義する第１情報を前記第１端末に送信し、前記第２画像の画質を定義する第２情報を前記第２端末に送信することにより、前記第１端末及び前記第２端末を制御することである。
【００１２】
第８態様は、第７態様において、前記第１情報及び前記第２情報のそれぞれが、フレームレート、解像度及び圧縮率の３種類のパラメーターのうち少なくとも何れか１種類のパラメーターを含むことである。
【００１３】
第９態様は、第６乃至第８態様の何れかにおいて、前記表示装置が、前記画面に対応して表示される表示領域を一部に定義され、互いにずれた位置にマッピングされた前記第１画像及び前記第２画像を表す統合画像データを、前記第１伝送データ及び前記第２伝送データに基づいて生成し、前記統合画像データに基づいて、前記第１画像を前記画面に表示することである。
【００１４】
第１０態様は、第９態様において、前記表示装置が、ユーザーの操作に応じて前記表示領域と相対的に前記第１画像及び前記第２画像を移動させることである。
【００１５】
第１１態様は、画面に画像を表示する表示機器と、第１端末から送信され、第１画像を表す第１伝送データと、第２端末から送信され、第２画像を表す第２伝送データとを受信する通信インターフェイスと、前記第１伝送データに基づいて前記第１画像を前記画面に表示し、且つ前記第２伝送データに基づいて前記第２画像を前記画面に表示しない場合において、前記第１伝送データが前記第２伝送データより大きな通信量を有するように、前記第１端末及び前記第２端末の少なくとも何れかを制御する制御回路とを備える表示装置である。
【００１６】
第１２態様は、第１１態様において、前記制御回路が、前記第１画像の画質を定義する第１情報を前記通信インターフェイスを介して前記第１端末に送信し、前記第２画像の画質を定義する第２情報を前記通信インターフェイスを介して前記第２端末に送信することにより、前記第１端末及び前記第２端末を制御することである。
【００１７】
第１３態様は、第１２態様において、前記第１情報及び前記第２情報のそれぞれが、フレームレート、解像度及び圧縮率の３種類のパラメーターのうち少なくとも何れか１種類のパラメーターを含むことである。
【００１８】
第１４態様は、第１１乃至第１３態様において、前記画面に対応して表示される表示領域を一部に定義され、互いにずれた位置にマッピングされた前記第１画像及び前記第２画像を表す統合画像データを、前記第１伝送データ及び前記第２伝送データに基づいて生成する画像生成回路を更に備え、前記表示機器が、前記統合画像データに基づいて、前記第１画像を前記画面に表示することである。
【００１９】
第１５態様は、第１４態様において、ユーザーによる操作を受け付ける入力機器を更に備え、前記制御回路が、前記操作に応じて前記表示領域と相対的に前記第１画像及び第２画像を移動させることである。
【図面の簡単な説明】
【００２０】
【図１】実施形態に係る表示システムを説明する模式図。
【図２】実施形態に係る表示システムの構成を説明するブロック図。
【図３】仮想的な統合画像の一例を説明する図。
【図４】表示装置の動作を説明するフローチャート。
【図５】表示装置によるパラメーター決定方法を説明するフローチャート。
【図６】端末の動作を説明するフローチャート。
【図７】実施形態の変形例における仮想的な統合画像の一例を説明する図。
【発明を実施するための形態】
【００２１】
以下、図面を参照して本発明の実施形態を説明する。図面においては同一又は類似の要素には同一又は類似の符号をそれぞれ付して、重複する説明を省略する。以下に示す実施形態は、本発明の技術的思想を具体化するためのシステム、このシステムに用いられる装置や方法を例示するものである。本発明の技術的思想は、各装置の種類及び構成、ネットワークトポロジー、一連の処理等を下記のものに特定するものでない。本実施形態で説明される構成の全てが、本発明の必須構成要件であるとも限らない。
【００２２】
［表示システム］
図１に示すように、本実施形態に係る表示システムは、複数の端末１０−１，１０−２，……，１０−ｎと、画面３０に画像３１を表示する表示装置２０とを備える。複数の端末１０−１〜１０−ｎは、例えば、第１端末１０−１、第２端末１０−２及び第ｎ端末１０−ｎから構成される。図１において、図示された複数の端末１０−１〜１０−ｎの数は３であるが、複数の端末１０−１〜１０−ｎの数は２であってもよく、４以上であってもよい。即ち、ｎは２以上の整数である。
【００２３】
複数の端末１０−１〜１０−ｎは、画像データを表示装置２０に送信する機能を有する任意の機器である。複数の端末１０−１〜１０−ｎのそれぞれは、例えば、パーソナルコンピューター、スマートフォン、カメラ、ムービープレイヤー、テレビチューナー、ゲーム機等である。図１に示すように、本実施形態において、複数の端末１０−１〜１０−ｎのそれぞれを、互いに同様の構成を有するノートパソコンとして例示的に説明する。
【００２４】
表示装置２０は、複数の端末１０−１〜１０−ｎのそれぞれから取得する画像データに応じて、画面３０に画像３１を表示する。表示装置２０は、例えば、プロジェクター、液晶ディスプレイ装置、プラズマディスプレイ装置、有機エレクトロルミネッセンス（ＥＬ）ディスプレイ装置等である。図１に示すように、本実施形態において、表示装置２０を、画面３０に光を投射することにより画像３１を表示するプロジェクターとして例示的に説明する。
【００２５】
図２に示すように、第ｋ端末１０−ｋは、例えば、画像生成部１１と、表示器１２と、符号化回路１３と、処理回路１４と、ネットワークインターフェイス（Ｉ／Ｆ）１５とを備える。第ｋ端末１０−ｋは、複数の端末１０−１〜１０−ｎのうちの何れか１つの端末である。即ち、ｋは１以上ｎ以下の整数である。図２において、複数の端末１０−１〜１０−ｎのうち第ｋ端末１０−ｋのみが示されるように、複数の端末１０−１〜１０−ｎに関して代表として第ｋ端末１０−ｋについて説明する。第１端末１０−１、第２端末１０−２等の他の端末の説明は、序数ｋを１以上ｎ以下の整数に置き換えた第ｋ端末１０−ｋの説明と等価である。
【００２６】
第ｋ端末１０−ｋの画像生成部１１は、処理回路１４による制御に応じて、圧縮前の第ｋ画像を表す第ｋ生画像データを生成する回路である。処理回路１４は、第ｋ画像を特定する情報を画像生成部１１に出力する。画像生成部１１は、例えば、レンダリングエンジン、グラフィックスメモリー等を備え得る。表示器１２は、画像生成部１１により生成された第ｋ生画像データに応じて第ｋ画像を表示する。表示器１２として、液晶ディスプレイ、有機ＥＬディスプレイ等の各種ディスプレイが採用され得る。
【００２７】
符号化回路１３は、処理回路１４による制御に応じて、画像生成部１１により生成された第ｋ生画像データを符号化することにより第ｋ伝送データを生成する。例えば、符号化回路１３は、例えばＪＰＥＧ等の規格に基づく圧縮方式で、フレームレートとして指定されたタイミングで第ｋ生画像データを周期的に圧縮することにより第ｋ伝送データを生成する。符号化回路１３は、第ｋ伝送データから表される第ｋ画像が、処理回路１４により設定されるパラメーターを有するように、第ｋ生画像データに対して情報源符号化を実行する。
【００２８】
処理回路１４は、例えば、フレームレート、解像度及び圧縮率の３種類のパラメーターのうち少なくとも何れか１種類のパラメーターを、符号化回路１３による符号化のパラメーターとして設定する。符号化のパラメーターは、符号化後の第ｋ伝送データから表される第ｋ画像の画質を定義する指標である。フレームレートが大きくなる程画質は向上し、フレームレートが小さくなる程画質は悪化する。解像度が大きくなる程画質は向上し、解像度が小さくなる程画質は低下する。圧縮率が大きくなる程画質は低下し、圧縮率が小さくなる程画質は向上する。本実施形態において、符号化後の第ｋ画像の画質は、例えば符号化前と第ｋ画像との類似度として定義され、第ｋ伝送データのサイズに相関する。なお、処理回路１４により設定されるパラメーターは、表示装置２０において決定される。
【００２９】
処理回路１４は、例えば、中央演算処理装置（ＣＰＵ）等からなる処理装置と、半導体メモリー等からなる記憶装置とを備える。処理回路１４は、第ｋ端末１０−ｋの動作に必要な演算を処理する。処理回路１４は、例えば記憶装置に記憶されたプログラムを実行することにより、実施形態に記載された各機能を実現する。処理回路１４の記憶装置は、例えば、第ｋ端末１０−ｋの動作に必要な一連の処理のプログラムや各種データを記憶する。処理回路１４及び符号化回路１３は、一体のハードウェアから構成されてもよく、別個の複数のハードウェアから構成されてもよい。
【００３０】
ネットワークＩ／Ｆ１５は、表示装置２０との間に通信リンクを確立することにより、表示装置２０と通信可能に接続される。ネットワークＩ／Ｆ１５は、符号化回路１３により符号化された第ｋ伝送データを、通信リンクを介して表示装置２０に送信する。ネットワークＩ／Ｆ１５と表示装置２０との間の通信リンクは、有線、無線を問わず、有線及び無線の組み合わせであってもよい。即ち、ネットワークＩ／Ｆ１５は、表示装置２０に直接的に接続されてもよく、他の通信装置を介して表示装置２０に間接的に接続されてもよい。ネットワークＩ／Ｆ１５は、例えば、無線信号を送受信するアンテナ、通信用ケーブルのプラグが差し込まれるレセプタクル、通信リンクにおいて伝送される信号を処理する通信回路等を含み得る。
【００３１】
表示装置２０は、例えば、通信Ｉ／Ｆ２１と、復号化回路２２と、制御回路２３と、画像生成回路２４と、メモリー２５と、表示機器２６と、入力機器２７とを備える。通信Ｉ／Ｆ２１は、複数の端末１０−１〜１０−ｎのそれぞれから送信された伝送データを受信する。通信Ｉ／Ｆ２１は、制御回路２３による制御に応じて、複数の端末１０−１〜１０−ｎのそれぞれのネットワークＩ／Ｆ１５との間に通信リンクを確立する。通信Ｉ／Ｆ２１は、例えば、無線信号を送受信するアンテナ、通信用ケーブルのプラグが差し込まれるレセプタクル、通信リンクにおいて伝送される信号を処理する通信回路等を含み得る。
【００３２】
通信Ｉ／Ｆ２１は、制御回路２３において決定されたパラメーターを含む第ｋ情報を第ｋ端末１０−ｋに送信する。第ｋ情報は、符号化後の第ｋ画像の画質を定義するパラメーターを含む。第ｋ情報は、フレームレート、解像度及び圧縮率の３種類のパラメーターのうち少なくとも何れか１種類のパラメーターを含む。通信Ｉ／Ｆ２１は、第ｋ端末１０−ｋから送信された第ｋ伝送データを受信する。復号化回路２２は、通信Ｉ／Ｆ２１により受信された第ｋ伝送データを復号化することにより、符号化後の第ｋ画像を表す第ｋ画像データを生成する。
【００３３】
制御回路２３は、例えば、ＣＰＵ等からなる処理部２３１と、半導体メモリー等からなる記憶部２３２とを備える。処理部２３１は、表示装置２０の動作に必要な演算を処理する、コンピューターの処理装置を構成する。処理部２３１は、例えば記憶部２３２に記憶されたプログラムを実行することにより、実施形態に記載された各機能を実現する。記憶部２３２は、例えば、表示装置２０の動作に必要な一連の処理のプログラムや各種データを記憶する、コンピューターにより読み取り可能な記憶媒体である。記憶部２３２は、不揮発性の補助記憶装置に限るものでなく、ＣＰＵに内蔵されるレジスター等の揮発性の主記憶装置を含み得る。制御回路２３は、一体のハードウェアから構成されてもよく、別個の複数のハードウェアから構成されてもよい。
【００３４】
画像生成回路２４は、制御回路２３による制御に応じて、復号化回路２２において復号化された第ｋ画像データと、制御回路２３により生成された画像データとから、統合画像データを生成する。統合画像データは、第ｋ画像をプレビュー画像として画面３０に表示するための画像データである。画像生成回路２４は、制御回路２３を構成する回路として兼用されてもよい。制御回路２３により生成される画像データは、例えば画面３０におけるカーソル、メニュー、背景等を構成し、オンスクリーンディスプレイ（ＯＳＤ）として実現され得る。
【００３５】
メモリー２５は、例えばビデオランダムアクセスメモリー（ＶＲＡＭ）等のグラフィックスメモリーからなる。メモリー２５は、画像生成回路２４により生成された統合画像データを循環的に記憶する。メモリー２５は、記憶する統合画像データのうち、表示機器２６により表示される表示領域の画像データを、表示機器２６に逐次出力する。メモリー２５は、例えば、表示領域の画像データが更新される毎に、更新された表示領域の画像データを表示機器２６に出力する。
【００３６】
表示機器２６は、例えば、複数の画素を有する液晶パネル等の表示素子と、光源、レンズ、ミラー等の光学系とを備える。表示素子は、メモリー２５から入力された表示領域の画像データに応じて、光源から発せられた光を変調する。表示機器２６は、表示素子を経由した光を、光学系を用いて画面３０に投射することにより、表示領域の画像データにより表される画像３１を画面３０に表示する。
【００３７】
例えば、通信Ｉ／Ｆ２１は、第１画像を示す第１伝送データを第１端末１０−１から受信し、第２画像を示す第２伝送データを第２端末１０−２から受信する。このとき、表示機器２６は、第１伝送データに基づいて第１画像を画面３０に表示し、第２伝送データに基づいて第２画像を画面３０に表示しない。
【００３８】
この場合、制御回路２３は、第１伝送データが第２伝送データより大きな通信量を有するように、第１端末１０−１及び第２端末１０−２の少なくとも何れかを制御する。例えば、制御回路２３は、第１画像の画質を定義する第１情報を通信Ｉ／Ｆ２１を介して第１端末１０−１に送信し、第２画像の画質を定義する第２情報を通信Ｉ／Ｆ２１を介して第２端末１０−２に送信することにより、第１端末１０−１及び第２端末１０−２を制御する。画像生成回路２４は、第１伝送データ及び第２伝送データに基づいて、ずれた位置にマッピングされた第１画像及び第２画像を表す統合画像データを生成する。表示機器２６は、統合画像データに基づいて、画面３０に第１画像を表示する。
【００３９】
入力機器２７は、ユーザーによる操作を受け付け、ユーザーによる操作に応じた信号を制御回路２３に出力する。入力機器２７として、例えば、プッシュボタン、タッチセンサー、キーボード等の他、マウス、タッチパネル、デジタイザー、測距センサー等を用いたポインティングデバイス等、種々の入力機器が採用可能である。ユーザーは、入力機器２７を用いて、画面３０に表示された画像３１をスクロールしたり、画像３１に含まれる複数の項目から任意の項目を選択したりする等、画像３１に対する種々の操作を行うことができる。例えば、入力機器２７は、ユーザーのスクロール操作に応じて、統合画像データにおいて互いにずれた位置にマッピングされた第１画像及び第２画像を、表示領域４１と相対的に移動させる。
【００４０】
図３に示すように、画像生成回路２４により生成される統合画像データは、実際にはメモリー２５のアドレス空間において定義される、仮想的な統合画像４０として説明可能である。統合画像４０は、画面３０に対応して実際に画面３０に表示される表示領域４１と、表示領域４１にそれぞれ隣接する第１バッファー領域４２１及び第２バッファー領域４２２とを有する。第１バッファー領域４２１及び第２バッファー領域４２２は、画面３０には表示されないダミー領域である。図３に示す例において、第１バッファー領域４２１、表示領域４１及び第２バッファー領域４２２は、上方から順に垂直に配列される。なお、統合画像データは、複数のレイヤーから構成されてもよく、１つのレイヤーから構成されてもよい。
【００４１】
図３に示す例において、表示領域４１は、２×４のマトリクス状に配列された８つのプレビュー領域Ｖ１１〜Ｖ１４，Ｖ２１〜Ｖ２４を有する。第１バッファー領域４２１は、水平方向に１列に配列された４つの候補領域Ｉ１１〜Ｉ１４を有する。第２バッファー領域４２２は、水平方向に１列に配列された４つの候補領域Ｉ２１〜Ｉ２４を有する。８つのプレビュー領域Ｖ１１〜Ｖ１４，Ｖ２１〜Ｖ２４及び８つの候補領域Ｉ１１〜Ｉ１４，Ｉ２１〜Ｉ２４は、４×４のマトリクス状に配列される。プレビュー領域Ｖ１１〜Ｖ１４，Ｖ２１〜Ｖ２４及び候補領域Ｉ１１〜Ｉ１４，Ｉ２１〜Ｉ２４のそれぞれには、複数の端末１０−１〜１０−ｎに含まれる１６の各端末から取得される１６の画像が、１６のプレビュー画像として互いにずれた位置に１つずつマッピングされる。即ち、図３に示す例は、表示装置２０に接続された複数の端末１０−１〜１０−ｎの数であるｎが１６以上であることを意味する。
【００４２】
例えば、第ｋ画像が表示領域４１にプレビュー画像としてマッピングされる場合、第ｋ端末１０−ｋは、表示装置２０において決定された基準のパラメーターを用いて第ｋ生画像データを符号化することにより第ｋ伝送データを生成する。即ち、第ｋ伝送データに基づいて表示領域４１にマッピングされる第ｋ画像は、フレームレート、解像度及び圧縮率の３種類のパラメーターのうち少なくとも何れか１種類のパラメーターについて、予め定められた基準値を有する。
【００４３】
制御回路２３は、例えば、表示領域４１にマッピングされる端末の数に応じて、基準のパラメーターを決定する。即ち、基準のパラメーターは、画面３０に表示されるプレビュー画像の数が大きくなる程、画質が低下するように決定される。このとき、制御回路２３は、画面３０に表示されるプレビュー画像の数に上限値を設定し得る。これにより、制御回路２３は、画面３０に表示されるプレビュー画像が視認可能であることを確保できる。制御回路２３は、統合画像４０にマッピングされる端末の数に応じて、基準のパラメーターを決定してもよく、表示領域４１にマッピングされるプレビュー画像の解像度に下限値を設定してもよい。なお、基準のパラメーターとして、解像度を画面に表示されるプレビュー画像の解像度に設定することにより、画像生成回路２４における解像度変換による処理負荷を低減することができる。
【００４４】
第ｋ画像が第１バッファー領域４２１又は第２バッファー領域４２２にマッピングされる場合、第ｋ端末１０−ｋは、基準のパラメーターを用いた場合と比べて、符号化後の第ｋ伝送データのサイズが小さくなるパラメーターを用いて第ｋ生画像データを符号化する。第ｋ伝送データに基づいて第１バッファー領域４２１又は第２バッファー領域４２２にマッピングされる第ｋ画像は、基準のパラメーターと比べて、画質が低下する、即ちデータサイズが小さくなるパラメーターを有する。この場合、第ｋ画像は、例えば表示領域４１にマッピングされるプレビュー画像より低いフレームレート及び解像度を有する。
【００４５】
第ｋ画像が表示領域４１にマッピングされ、且つ入力機器２７により選択される場合、第ｋ端末１０−ｋは、基準のパラメーターを用いた場合と比べて、符号化後の第ｋ伝送データのサイズが大きくなるパラメーターを用いて第ｋ生画像データを符号化する。この場合、第ｋ画像は、基準のパラメーターと比べて画質が向上する、即ちデータサイズが大きくなるパラメーターを有する。図３に示すように、第ｋ画像は、プレビュー領域Ｖ１２にマッピングされ、且つ入力機器２７により選択される場合、例えば画面３０において他のプレビュー画像より高いフレームレート及び解像度を有することにより強調表示される。加えて、選択された第ｋ画像は、画面３０におけるサイズの拡大、周縁部の変色、他の視覚効果等により強調表示されてもよい。
【００４６】
第ｋ画像が統合画像４０にマッピングされない場合、第ｋ端末１０−ｋは、第ｋ生画像データを符号化せず、第ｋ伝送データを表示装置２０に送信しない。
【００４７】
制御回路２３は、第ｋ画像の表示状態、即ち、統合画像データにおける第ｋ画像の位置に応じて、第ｋ画像の画質を定義するパラメーターを含む第ｋ情報を決定し、第ｋ端末１０−ｋに送信することにより、第ｋ伝送データのサイズ、即ち第ｋ伝送データの通信量を変更する。第ｋ端末１０−ｋは、第ｋ情報に含まれるパラメーターを用いて、第ｋ生画像データを符号化することにより第ｋ伝送データを生成する。複数の端末１０−１〜１０−ｎのそれぞれに対して決定されるパラメーターの種類は、互いに同一であり得る。これにより、表示装置２０は、各伝送データの通信量、即ちデータサイズが上述の大小関係を有するように複数の端末１０−１〜１０−ｎを制御することができる。
【００４８】
図３の状態において、画面３０には、プレビュー領域Ｖ１１〜Ｖ１４，Ｖ２１〜Ｖ２４にそれぞれマッピングされた８つのプレビュー画像を含む画像３１が表示される。入力機器２７により、画像３１が図３の状態から１行上にスクロールされると、候補領域Ｉ１１〜Ｉ１４にマッピングされていた４つのプレビュー画像と、プレビュー領域Ｖ１１〜Ｖ１４にマッピングされていた４つのプレビュー画像とは、新たに表示領域４１にマッピングされ、画面３０に表示される。図３の状態において、メモリー２５は、候補領域Ｉ１１〜Ｉ１４にマッピングされる４つのプレビュー画像の画像データを予め記憶している。このため、表示装置２０は、スクロールアップ時のプレビュー画像の変更による遅延時間を低減することができ、画像３１のスクロールをスムーズに行うことができる。
【００４９】
同様に、画像３１が図３の状態から１行下にスクロールされると、画面３０には、プレビュー領域Ｖ２１〜Ｖ２４にマッピングされていた４つのプレビュー画像と、候補領域Ｉ２１〜Ｉ２４にマッピングされていた４つのプレビュー画像とが表示される。この直前において、メモリー２５は、候補領域Ｉ２１〜Ｉ２４にマッピングされる４つのプレビュー画像の画像データを予め記憶している。このため、表示装置２０は、画面３０におけるプレビュー画像の変更による遅延時間を低減することができ、画像３１のスクロールをスムーズに行うことができる。
【００５０】
［表示システムの制御方法］
図４〜図６のフローチャートを参照して、本実施形態に係る表示システムの制御方法として、複数の端末１０−１〜１０−ｎ及び表示装置２０の動作の一例を説明する。
【００５１】
｛表示装置の動作｝
先ず、図４のフローチャートを参照して、表示装置２０の動作の一例を説明する。ステップＳ１０１において、通信Ｉ／Ｆ２１は、制御回路２３による制御に応じて、複数の端末１０−１〜１０−ｎのそれぞれとの間の通信リンクを確立する。具体的には、通信Ｉ／Ｆ２１は、複数の端末１０−１〜１０−ｎの各ネットワークＩ／Ｆ１５と所定のプロトコルで協働することにより、各通信リンクを確立する。
【００５２】
ステップＳ１０２において、制御回路２３は、統合画像４０の初期状態を決定する。例えば、制御回路２３は、予めインストールされたプログラムを実行することにより、複数の端末１０−１〜１０−ｎのうちプレビュー画像を統合画像４０にマッピングされる端末や、統合画像４０におけるプレビュー画像の配列等を決定する。制御回路２３は、例えば、各端末１０−１〜１０−ｎに対応する識別子を、プレビュー領域Ｖ１１〜Ｖ１４，Ｖ２１〜Ｖ２４及び候補領域Ｉ１１〜Ｉ１４，Ｉ２１〜Ｉ２４に所定の順序でマッピングすることにより初期状態を決定し得る。
【００５３】
ステップＳ１０３において、制御回路２３は、複数の端末１０−１〜１０−ｎのそれぞれに対応するプレビュー画像の画質を定義するパラメーターを決定する。制御回路２３は、決定したパラメーターをそれぞれ含み、複数の端末１０−１〜１０−ｎにそれぞれ対応する複数の第１〜第ｎ情報を生成する。
【００５４】
ステップＳ１０４において、制御回路２３は、ステップＳ１０３で生成した情報を、対応する各端末１０−１〜１０−ｎに宛てて送信する。即ち、制御回路２３は、第ｋ画像の画質を定義するパラメーターを含む第ｋ情報を、通信Ｉ／Ｆ２１を介して、第ｋ端末１０−ｋに送信する。ステップＳ１０４で送信された情報は、各端末１０−１〜１０−ｎにおいて受信される。第ｋ画像がプレビュー画像として統合画像４０に含まれる場合、第ｋ端末１０−ｋは、第ｋ情報に含まれるパラメーターを用いて符号化された第ｋ伝送データを、表示装置２０に送信する。
【００５５】
ステップＳ１０５において、通信Ｉ／Ｆ２１は、ステップＳ１０４で送信した情報に応じて各端末から送信された伝送データを受信する。即ち、第ｋ画像がプレビュー画像として統合画像４０に含まれる場合、通信Ｉ／Ｆ２１は、第ｋ情報に含まれるパラメーターを用いて符号化され、第ｋ端末１０−ｋから送信された第ｋ伝送データを受信する。
【００５６】
ステップＳ１０６において、復号化回路２２は、ステップＳ１０５で通信Ｉ／Ｆ２１が受信した伝送データを復号化することにより、画像データを生成する。即ち、復号化回路２２は、第ｋ端末１０−ｋから送信された第ｋ伝送データを復号化することにより、符号化後の第ｋ画像を表す第ｋ画像データを取得する。
【００５７】
ステップＳ１０７において、画像生成回路２４は、ステップＳ１０６で取得された複数の画像データから、統合画像データを生成する。統合画像データは、制御回路２３により生成された画像データを含んでもよい。初回のステップＳ１０７では、画像生成回路２４は、ステップＳ１０２において決定された初期状態の統合画像４０を表す統合画像データを生成する。なお、次回以降のステップＳ１０７では、画像生成回路２４は、入力機器２７を用いた画像３１に対する操作に応じて、統合画像データを変更し得る。
【００５８】
ステップＳ１０８において、表示機器２６は、ステップＳ１０７で生成された統合画像データのうち、表示領域４１に相当する画像データにより表される画像３１を画面３０に表示する。これにより、表示機器２６は、初回のステップＳ１０８において、複数の端末１０−１〜１０−ｎのそれぞれに表示される画像を選択的に画面３０に表示するプレビュー表示を開始する。
【００５９】
ステップＳ１０９において、制御回路２３は、画面３０に表示された画像３１を変更する操作が、入力機器２７により行われたか否かを判定する。制御回路２３は、操作が行われたと判定する場合、ステップＳ１１０に処理を進め、操作が行われていないと判定する場合、ステップＳ１１１に処理を進める。画像３１を変更する操作は、入力機器２７により行われる操作に限るものでなく、制御回路２３により自動的に行われてもよい。
【００６０】
ステップＳ１１０において、制御回路２３は、ステップＳ１０９の操作に応じて、生成する統合画像データを変更するように画像生成回路２４を制御する。画像生成回路２４は、制御回路２３による制御に応じて、統合画像データを変更することにより、操作に応じてスクロールする画像３１を生成したり、強調表示されたプレビュー画像を生成したりする。よって、メモリー２５の内容が変更され、画面３０に表示される画像３１が変更される。制御回路２３は、ステップＳ１１０で画像生成回路２４を制御すると、ステップＳ１０３に処理を戻す。
【００６１】
ステップＳ１１１において、制御回路２３は、表示機器２６によるプレビュー表示を終了するか否かを判定する。例えば、制御回路２３は、画面３０に表示され、且つ入力機器２７により選択されるプレビュー画像に対して、入力機器２７により決定する操作が行われた場合、プレビュー表示を終了すると判定する。例えば、決定する操作が行われたプレビュー画像が第ｋ画像の場合、制御回路２３は、プレビュー画像より高画質の第ｋ画像を画面３０に拡大表示する。制御回路２３は、プレビュー表示を終了すると判定する場合、処理を終了し、プレビュー表示を終了しないと判定する場合、ステップＳ１０５に処理を戻す。
【００６２】
｛第１〜第ｎ情報の決定｝
次に、図５のフローチャートを参照して、図４のフローチャートに示す一連の処理のうちステップＳ１０３の処理の詳細の一例として、複数の端末１０−１〜１０−ｎにそれぞれ送信する第１〜第ｎ情報を決定する方法について説明する。
【００６３】
ステップＳ２１において、制御回路２３は、複数の端末１０−１〜１０−ｎのうち何れかである第ｋ端末１０−ｋから取得される第ｋ画像が、統合画像４０に含まれる画像か否かを判定する。制御回路２３は、第ｋ画像が統合画像４０に含まれる場合、ステップＳ２２に処理を進め、第ｋ画像が統合画像４０に含まれない場合、ステップＳ２３に処理を進める。
【００６４】
ステップＳ２２において、制御回路２３は、第ｋ画像が表示領域４１に含まれるか否かを判定する。制御回路２３は、第ｋ画像が表示領域４１に含まれる場合、ステップＳ２４に処理を進める。制御回路２３は、第ｋ画像が表示領域に含まれない場合、即ち、第ｋ画像が第１バッファー領域４２１又は第２バッファー領域４２２に含まれる場合、ステップＳ２５に処理を進める。
【００６５】
ステップＳ２３において、制御回路２３は、第ｋ伝送データの通信量が０となるように、即ち、第ｋ端末１０−ｋが第ｋ伝送データを表示装置２０に送信しないように、第ｋ情報を決定する。この場合、第ｋ情報は、フレームレートや解像度が０となるパラメーターや、第ｋ伝送データの送信を停止する命令等を含み得る。制御回路２３は、ステップＳ２３で第ｋ情報を決定すると、ステップＳ２８に処理を進める。
【００６６】
ステップＳ２４において、制御回路２３は、表示領域４１に含まれる第ｋ画像が入力機器２７により選択されているか否かを判定する。制御回路２３は、第ｋ画像が選択されている場合、ステップＳ２６に処理を進め、第ｋ画像が選択されていない場合、ステップＳ２７に処理を進める。
【００６７】
ステップＳ２５において、制御回路２３は、第１バッファー領域４２１又は第２バッファー領域４２２に含まれる第ｋ画像を表す第ｋ伝送データの通信量が、表示領域４１に含まれるプレビュー画像の通信量より小さくなるように第ｋ情報を決定する。即ち、第ｋ情報は、表示領域４１のプレビュー画像と同一内容の場合の第ｋ画像が、表示領域４１のプレビュー画像よりも低い画質を有するように決定される。制御回路２３は、ステップＳ２５で第ｋ情報を決定すると、ステップＳ２８に処理を進める。
【００６８】
ステップＳ２６において、制御回路２３は、表示領域４１に含まれ、且つ入力機器２７により選択された第ｋ画像を表す第ｋ伝送データの通信量が、表示領域４１に含まれる他のプレビュー画像の通信量より大きくなるように第ｋ情報を決定する。即ち、第ｋ情報は、表示領域４１の他のプレビュー画像と同一内容の場合の第ｋ画像が、表示領域４１の他のプレビュー画像よりも高い画質を有するように決定される。制御回路２３は、ステップＳ２６で第ｋ情報を決定すると、ステップＳ２８に処理を進める。
【００６９】
ステップＳ２７において、制御回路２３は、表示領域４１に含まれ、且つ入力機器２７により選択されていない第ｋ画像を表す第ｋ伝送データの通信量が基準値となるように第ｋ情報を決定する。即ち、第ｋ情報は、第ｋ画像の画質が基準値を有するように決定される。制御回路２３は、ステップＳ２７で第ｋ情報を決定すると、ステップＳ２８に処理を進める。
【００７０】
ステップＳ２８において、制御回路２３は、全ての第１〜第ｎ情報の決定が終了したか否かを判定する。制御回路２３は、決定が終了したと判定する場合、処理を終了し、決定が終了しないと判定する場合、ステップＳ２１に処理を戻す。制御回路２３は、例えば、初回のステップＳ２１においてｋを１に設定し、ステップＳ２１毎にｋをインクリメントし、ｋがｎに到達するまで決定が終了していないと判定する。
【００７１】
｛端末の動作｝
次に、図６のフローチャートを参照し、複数の端末１０−１〜１０−ｎのうち、統合画像データにマッピングされた第ｋ画像に対応する第ｋ端末１０−ｋの動作の一例について説明する。
【００７２】
ステップＳ３１において、第ｋ端末１０−ｋのネットワークＩ／Ｆ１５は、処理回路１４による制御に応じて、表示装置２０の通信Ｉ／Ｆ２１と協働することにより、表示装置２０との間に通信リンクを確立する。
【００７３】
ステップＳ３２において、処理回路１４は、ネットワークＩ／Ｆ１５が表示装置２０から受信した第ｋ情報に含まれるパラメーターを取得したか否かを判定する。処理回路１４は、パラメーターを取得した場合、ステップＳ３３に処理を進め、パラメーターを取得しない場合、ステップＳ３４に処理を進める。
【００７４】
ステップＳ３３において、処理回路１４は、ステップＳ３２で取得したパラメーターを符号化回路１３における符号化に用いるパラメーターとして設定する。パラメーターは、フレームレート、解像度及び圧縮率の３種類のパラメーターのうち少なくとも何れか１種類のパラメーターを含む。
【００７５】
ステップＳ３４において、符号化回路１３は、予め設定されたパラメーターを用いて第ｋ生画像データを符号化することにより、第ｋ伝送データを生成する。例えば、符号化回路１３は、ステップＳ３２でパラメーターが取得されている場合、ステップＳ３３で設定されたパラメーターを用いて第ｋ生画像データを符号化し、ステップＳ３２でパラメーターが取得されていない場合、予め定められた初期パラメーターを用いて第ｋ生画像データを符号化する。
【００７６】
ステップＳ３５において、通信Ｉ／Ｆ２１は、処理回路１４による制御に応じて、ステップＳ３４で生成された第ｋ伝送データを表示装置２０に宛てて送信する。以上のように、第ｋ端末１０−ｋは、表示装置２０による制御に応じて、第ｋ伝送データの通信量を変更し得る。表示装置２０は、受信した第ｋ伝送データに基づいて画面３０にプレビュー画像を表示する。
【００７７】
ステップＳ３６において、処理回路１４は、プレビュー表示のための第ｋ伝送データの送信を終了するか否かを判定する。処理回路１４は、第ｋ伝送データの送信を終了する場合、処理を終了し、第ｋ伝送データの送信を終了しない場合、ステップＳ３２に処理を戻す。
【００７８】
例えば、ステップＳ１０２で第１画像が表示領域４１にマッピングされ、第２画像が第１バッファー領域４２１にマッピングされる状況は、第１画像は画面３０に表示され、第２画像は画面３０に表示されないことを意味する。このとき、画面３０に表示されるプレビュー画像の優先度は、表示されないプレビュー画像より高いため、制御回路２３は、第１伝送データが第２伝送データより大きな通信量を有するように、第１端末１０−１及び第２端末１０−２の少なくとも何れかを制御する。例えば、表示装置２０は、第２端末１０−２のみに第２情報を送信してもよい。この場合、第２情報に含まれるパラメーターは、第２伝送データの通信量が、第１端末１０−１において定められた初期パラメーターにより生成された第１伝送データの通信量より小さくなるように決定される。このように、制御回路２３は、伝送データの通信量が予め設定された優先度と相関するように各端末を制御することにより、帯域の使用効率を向上することができる。
【００７９】
また、画面３０に表示された第１画像及び第３画像のうち、第１画像のみが入力機器２７により選択される場合、第１画像の優先度は、第３画像より高い。このため、制御回路２３は、第１伝送データが第３伝送データより大きな通信量を有するように、第１端末１０−１及び第３端末１０−３の少なくとも何れかを制御する。
【００８０】
また、第２画像が第１バッファー領域４２１又は第２バッファー領域４２２にマッピングされ、第４画像が統合画像データにマッピングされない場合、第２画像の優先度は第４画像より高い。このため、制御回路２３は、第２伝送データが第４伝送データより大きな通信量を有するように、第２端末１０−２及び第４端末１０−４の少なくとも何れかを制御する。具体的には、制御回路２３は、第４伝送データの通信量を０に変更し得る。このように、第ｋ画像が統合画像データにマッピングされない場合、制御回路２３は、第ｋ伝送データの送信を停止する命令を第ｋ端末１０−ｋに送信する。
【００８１】
以上のように、本実施形態に係る表示システムは、統合画像データにマッピングされない端末の伝送データを停止させることにより、ネットワークにおける帯域の使用効率を向上することができる。また、プレビュー画像の表示状態に応じて、伝送データの通信量を変更することにより、帯域の使用効率を更に向上するとともに、プレビュー画像の画質を向上することができる。更に、表示システムは、画像３１をスクロールする場面において、画面３０におけるプレビュー画像の変更による遅延時間を低減することができ、画像３１のスクロールをスムーズに行うことができる。
【００８２】
［変形例］
図７に示すように、本実施形態の変形例に係る表示システムにおいて、統合画像４０ａは、表示領域４１、第１バッファー領域４２１及び第２バッファー領域４２２に加えて、第３バッファー領域４３１及び第４バッファー領域４３２を有する。統合画像４０ａは、画像生成回路２４により逐次生成され、メモリー２５に循環的に記憶される統合画像データにより表される。図７に示す例において、第３バッファー領域４３１、第１バッファー領域４２１、表示領域４１、第２バッファー領域４２２及び第４バッファー領域４３２は、上方から順に垂直に配列される。第３バッファー領域４３１は、水平方向に１列に配列された４つの候補領域Ｉ３１〜Ｉ３４を有する。第４バッファー領域４３２は、水平方向に１列に配列された４つの候補領域Ｉ４１〜Ｉ４４を有する。
【００８３】
第ｋ画像が第３バッファー領域４３１又は第４バッファー領域４３２にマッピングされる場合、第ｋ端末１０−ｋは、第１バッファー領域４２１及び第２バッファー領域４２２にマッピングされる場合と比べて小さな通信量を有する第ｋ伝送データを表示装置２０に送信する。即ち、例えば第３バッファー領域４３１にマッピングされたプレビュー画像は、第１バッファー領域４２１にマッピングされたプレビュー画像よりも低い画質を有する。このように、統合画像４０ａにおいて表示領域４１に隣接する領域を、表示領域４１からの距離で区分することにより、多段のバッファー領域を構成することができる。これにより、画像３１をスクロールする速度を向上し、画面３０におけるプレビュー画像の変更による遅延時間を更に低減することができる。
【００８４】
［他の実施形態］
以上のように実施形態を説明したが、本発明はこれらの開示に限定されるものではない。各部の構成は、同様の機能を有する任意の構成に置換されてよく、また、本発明の技術的範囲内において、各実施形態における任意の構成が省略されたり追加されたりしてもよい。このように、これらの開示から当業者には様々な代替の実施形態が明らかになる。
【００８５】
例えば、既に述べた実施形態において、入力機器２７によるスクロール方向は、垂直方向に限るものでなく、水平方向であってもよく、斜め方向であってもよい。即ち、表示領域４１に隣接する領域は、統合画像４０の何れの辺において隣接してもよい。
【００８６】
その他、上述の各構成を相互に応用した構成等、本発明は以上に記載しない様々な実施形態を含むことは勿論である。本発明の技術的範囲は、上記の説明から妥当な特許請求の範囲に係る発明特定事項によってのみ定められるものである。
【００８７】
以下に、上述した実施形態から導き出される内容を、各態様として記載する。
【００８８】
第１態様は、第１端末、第２端末、及び、画面に画像を表示する表示装置を備える表示システムの制御方法であって、前記第１端末から、第１画像を表す第１伝送データを前記表示装置に送信し、前記第２端末から、第２画像を表す第２伝送データを前記表示装置に送信し、前記表示装置は、前記第１伝送データに基づいて前記第１画像を前記画面に表示し、且つ前記第２伝送データに基づいて前記第２画像を前記画面に表示しない場合において、前記第１伝送データが前記第２伝送データより大きな通信量を有するように、前記第１端末及び前記第２端末の少なくとも何れかを制御する表示システムの制御方法である。
【００８９】
第１態様によれば、端末の数に対して、ネットワークの帯域の使用効率を向上することができるため、画面に表示する画像の画質を向上することができる。
【００９０】
第２態様は、第１態様において、前記表示装置が、前記第１画像の画質を定義する第１情報を前記第１端末に送信し、前記第２画像の画質を定義する第２情報を前記第２端末に送信することにより、前記第１端末及び前記第２端末を制御することである。
【００９１】
第２態様によれば、第１情報及び第２情報を送信することにより各端末に対して第１画像及び第２画像の画質を定義することができる。このため、表示装置は、予め第２画像を取得して第２画像を表示する際にスムーズに表示することができる。
【００９２】
第３態様は、第２態様において、前記第１情報及び前記第２情報のそれぞれが、フレームレート、解像度及び圧縮率の３種類のパラメーターのうち少なくとも何れか１種類のパラメーターを含むことである。
【００９３】
第３態様によれば、第１情報及び第２情報のそれぞれが、画質を定義するパラメーターを含むことにより、第１伝送データ及び第２伝送データの通信量を変更することが実現可能となる。
【００９４】
第４態様は、第１乃至第３態様の何れかにおいて、前記表示装置が、前記画面に対応して表示される表示領域を一部に定義され、互いにずれた位置にマッピングされた前記第１画像及び前記第２画像を表す統合画像データを、前記第１伝送データ及び前記第２伝送データに基づいて生成し、前記統合画像データに基づいて、前記第１画像を前記画面に表示することである。
【００９５】
第４態様によれば、表示装置が統合画像データを予め生成することにより、第１画像及び第２画像を表示領域に相対的に移動する際に、スムーズに画面の表示を変更することができる。
【００９６】
第５態様は、第４態様において、前記表示装置が、ユーザーの操作に応じて前記表示領域と相対的に前記第１画像及び前記第２画像を移動させることである。
【００９７】
第５態様によれば、表示装置がユーザーの操作を受け付けることにより、ユーザーの操作に応じてスムーズに画面の表示を変更することが実現可能となる。
【００９８】
第６態様は、第１端末、第２端末、及び、画面に画像を表示する表示装置を備える表示システムであって、前記第１端末は、第１画像を表す第１伝送データを前記表示装置に送信し、前記第２端末は、第２画像を表す第２伝送データを前記表示装置に送信し、前記表示装置は、前記第１伝送データに基づいて前記第１画像を前記画面に表示し、且つ前記第２伝送データに基づいて前記第２画像を前記画面に表示しない場合において、前記第１伝送データが前記第２伝送データより大きな通信量を有するように、前記第１端末及び前記第２端末の少なくとも何れかを制御する表示システムである。
【００９９】
第６態様によれば、端末の数に対して、ネットワークの帯域の使用効率を向上することにより、画面に表示する画像の画質を向上することができる。
【０１００】
第７態様は、第６態様において、前記表示装置が、前記第１画像の画質を定義する第１情報を前記第１端末に送信し、前記第２画像の画質を定義する第２情報を前記第２端末に送信することにより、前記第１端末及び前記第２端末を制御することである。
【０１０１】
第７態様によれば、第１情報及び第２情報を送信することにより各端末に対して第１画像及び第２画像の画質を定義することができる。このため、表示装置は、予め第２画像を取得して第２画像を表示する際にスムーズに表示することができる。
【０１０２】
第８態様は、第７態様において、前記第１情報及び前記第２情報のそれぞれが、フレームレート、解像度及び圧縮率の３種類のパラメーターのうち少なくとも何れか１種類のパラメーターを含むことである。
【０１０３】
第８態様によれば、第１情報及び第２情報のそれぞれが、画質を定義するパラメーターを含むことにより、第１伝送データ及び第２伝送データの通信量を変更することが実現可能となる。
【０１０４】
第９態様は、第６乃至第８態様の何れかにおいて、前記表示装置が、前記画面に対応して表示される表示領域を一部に定義され、互いにずれた位置にマッピングされた前記第１画像及び前記第２画像を表す統合画像データを、前記第１伝送データ及び前記第２伝送データに基づいて生成し、前記統合画像データに基づいて、前記第１画像を前記画面に表示することである。
【０１０５】
第９態様によれば、表示装置が統合画像データを予め生成することにより、第１画像及び第２画像を表示領域に相対的に移動する際に、スムーズに画面の表示を変更することができる。
【０１０６】
第１０態様は、第９態様において、前記表示装置が、ユーザーの操作に応じて前記表示領域と相対的に前記第１画像及び前記第２画像を移動させることである。
【０１０７】
第１０態様によれば、表示装置がユーザーの操作を受け付けることにより、ユーザーの操作に応じてスムーズに画面の表示を変更することが実現可能となる。
【０１０８】
第１１態様は、画面に画像を表示する表示機器と、第１端末から送信され、第１画像を表す第１伝送データと、第２端末から送信され、第２画像を表す第２伝送データとを受信する通信インターフェイスと、前記第１伝送データに基づいて前記第１画像を前記画面に表示し、且つ前記第２伝送データに基づいて前記第２画像を前記画面に表示しない場合において、前記第１伝送データが前記第２伝送データより大きな通信量を有するように、前記第１端末及び前記第２端末の少なくとも何れかを制御する制御回路とを備える表示装置である。
【０１０９】
第１１態様によれば、端末の数に対して、ネットワークの帯域の使用効率を向上することができるため、画面に表示する画像の画質を向上することができる。
【０１１０】
第１２態様は、第１１態様において、前記制御回路が、前記第１画像の画質を定義する第１情報を前記通信インターフェイスを介して前記第１端末に送信し、前記第２画像の画質を定義する第２情報を前記通信インターフェイスを介して前記第２端末に送信することにより、前記第１端末及び前記第２端末を制御することである。
【０１１１】
第１２態様によれば、第１情報及び第２情報を送信することにより各端末に対して第１画像及び第２画像の画質を定義することができる。このため、表示装置は、予め第２画像を取得して第２画像を表示する際にスムーズに表示することができる。
【０１１２】
第１３態様は、第１２態様において、前記第１情報及び前記第２情報のそれぞれが、フレームレート、解像度及び圧縮率の３種類のパラメーターのうち少なくとも何れか１種類のパラメーターを含むことである。
【０１１３】
第１３態様によれば、第１情報及び第２情報のそれぞれが、画質を定義するパラメーターを含むことにより、第１伝送データ及び第２伝送データの通信量を変更することが実現可能となる。
【０１１４】
第１４態様は、第１１乃至第１３態様において、前記画面に対応して表示される表示領域を一部に定義され、互いにずれた位置にマッピングされた前記第１画像及び前記第２画像を表す統合画像データを、前記第１伝送データ及び前記第２伝送データに基づいて生成する画像生成回路を更に備え、前記表示機器が、前記統合画像データに基づいて、前記第１画像を前記画面に表示することである。
【０１１５】
第１４態様によれば、統合画像データを予め生成することにより、第１画像及び第２画像を表示領域に相対的に移動する際に、スムーズに画面の表示を変更することができる。
【０１１６】
第１５態様は、第１４態様において、ユーザーによる操作を受け付ける入力機器を更に備え、前記制御回路が、前記操作に応じて前記表示領域と相対的に前記第１画像及び第２画像を移動させることである。
【０１１７】
第１５態様によれば、表示装置がユーザーの操作を受け付けることにより、ユーザーの操作に応じてスムーズに画面の表示を変更することが実現可能となる。
【符号の説明】
【０１１８】
１０−１…第１端末、１０−２…第２端末、１０−ｋ…第ｋ端末、１０−ｎ…第ｎ端末、１１…画像生成部、１２…表示器、１３…符号化回路、１４…処理回路、１５…ネットワークＩ／Ｆ、２０…表示装置、２１…通信Ｉ／Ｆ、２２…復号化回路、２３…制御回路、２４…画像生成回路、２５…メモリー、２６…表示機器、２７…入力機器、３０…画面、３１…画像、４０，４０ａ…統合画像、４１…表示領域、２３１…処理部、２３２…記憶部、４２１…第１バッファー領域、４２２…第２バッファー領域、４３１…第３バッファー領域、４３２…第４バッファー領域、Ｉ１１〜Ｉ１４，Ｉ２１〜Ｉ２４，Ｉ３１〜Ｉ３４，Ｉ４１〜Ｉ４４…候補領域、Ｖ１１〜Ｖ１４，Ｖ２１〜Ｖ２４…プレビュー領域。
【図１】
2020134850.tif 000003
【図２】
2020134850.tif 000004
【図３】
2020134850.tif 000005
【図４】
2020134850.tif 000006
【図５】
2020134850.tif 000007
【図６】
2020134850.tif 000008
【図７】
2020134850.tif 000009